【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
金融機関から受信した帳票の返送処理に対する課金データを記憶する記憶部と、
前記金融機関から前記帳票が再送されると、前記帳票の再送情報に基づいて前記帳票の返送処理が返送側のミスであったか否かを判断する再送判断部と、
前記再送判断部により前記帳票の返送処理が返送側のミスであると判断された場合、前記課金データを前記帳票の返送処理に対する課金が行われないような状態とするデータ管理部と、
を備える、データ管理サーバ。
【請求項２】
前記記憶部は、各帳票の処理状態を示す帳票管理データをさらに記憶し、
前記再送判断部は、前記金融機関から再送された帳票の処理状態が返送状態であるか否かをさらに判断し、
前記データ管理部は、前記再送判断部により前記帳票の返送処理が返送側のミスであると判断され、かつ、前記金融機関から再送された帳票の処理状態が返送状態であると判断された場合に、前記課金データを前記帳票の返送処理に対する課金が行われないような状態とする、請求項１に記載のデータ管理サーバ。
【請求項３】
前記課金データは、前記返送処理の回数を示すデータを含み、
前記データ管理部は、前記返送処理の回数を減算することにより前記課金データを前記帳票の返送処理に対する課金が行われないよう更新する、請求項１または２に記載のデータ管理サーバ。
【請求項４】
前記データ管理サーバは、
前記再送判断部は、前記金融機関に返送した帳票と前記金融機関から再送された帳票との同一性をさらに判断し、
前記データ管理部は、追加的な条件として、前記再送判断部により双方の帳票の同一性が確認された場合に、前記課金データを前記帳票の返送処理に対する課金が行われないよう更新する、請求項１〜３のいずれか一項に記載のデータ管理サーバ。
【請求項５】
前記帳票の再送情報は、前記帳票の特定の記入項目の示す情報である、請求項１〜４のいずれか一項に記載のデータ管理サーバ。
【請求項６】
前記帳票の再送情報は、前記帳票の再送時に前記金融機関から前記帳票と併せて送信される情報である、請求項１〜４のいずれか一項に記載のデータ管理サーバ。
【請求項７】
前記データ管理部は、前記金融機関から再送された前記帳票の処理が完了した場合、前記帳票の処理に対する課金データを更新する、請求項１〜６のいずれか一項に記載のデータ管理サーバ。
【請求項８】
金融機関から受信した帳票の返送処理に対する課金のためのデータを記憶する記憶部と、
前記金融機関から前記帳票が再送されると、前記帳票の再送情報に基づいて前記帳票の返送処理が返送側のミスであったか否かを判断する再送判断部と、
前記再送判断部により前記帳票の返送処理が返送側のミスであると判断された場合、前記課金のためのデータを前記帳票の返送処理に対する課金が行われないような状態とするデータ管理部と、
を備える、データ管理システム。
【請求項９】
コンピュータを、
金融機関から受信した帳票の返送処理に対する課金のためのデータを記憶する記憶部と、
前記金融機関から前記帳票が再送されると、前記帳票の再送情報に基づいて前記帳票の返送処理が返送側のミスであったか否かを判断する再送判断部と、
前記再送判断部により前記帳票の返送処理が返送側のミスであると判断された場合、前記課金のためのデータを前記帳票の返送処理に対する課金が行われないような状態とするデータ管理部と、
として機能させるための、プログラム。
【請求項１０】
金融機関から受信した帳票のうち返送した帳票に対する課金のためのデータを記憶するステップと、
前記金融機関から前記帳票が再送されると、前記帳票の再送情報に基づいて前記帳票の返送処理が返送側のミスであったか否かを判断するステップと、
前記帳票の返送処理が返送側のミスであると判断された場合、前記課金のためのデータを前記帳票の返送処理に対する課金が行われないような状態とするステップと、
を含む、データ管理方法。
【手続補正２】
【補正対象書類名】明細書
【補正対象項目名】０００８
【補正方法】変更
【補正の内容】
【０００８】
上記課題を解決するために、本発明のある観点によれば、金融機関から受信した帳票の返送処理に対する課金データを記憶する記憶部と、前記金融機関から前記帳票が再送されると、前記帳票の再送情報に基づいて前記帳票の返送処理が返送側のミスであったか否かを判断する再送判断部と、前記再送判断部により前記帳票の返送処理が返送側のミスであると判断された場合、前記課金データを前記帳票の返送処理に対する課金が行われないような状態とするデータ管理部と、を備えるデータ管理サーバが提供される。
【手続補正３】
【補正対象書類名】明細書
【補正対象項目名】０００９
【補正方法】変更
【補正の内容】
【０００９】
前記記憶部は、各帳票の処理状態を示す帳票管理データをさらに記憶し、前記再送判断部は、前記金融機関から再送された帳票の処理状態が返送状態であるか否かをさらに判断し、前記データ管理部は、前記再送判断部により前記帳票の返送処理が返送側のミスであると判断され、かつ、前記金融機関から再送された帳票の処理状態が返送状態であると判断された場合に、前記課金データを前記帳票の返送処理に対する課金が行われないような状態としてもよい。

【手続補正４】
【補正対象書類名】明細書
【補正対象項目名】００１０
【補正方法】変更
【補正の内容】
【００１０】
前記課金データは、前記返送処理の回数を示すデータを含み、前記データ管理部は、前記返送処理の回数を減算することにより前記課金データを前記帳票の返送処理に対する課金が行われないよう更新してもよい。
【手続補正５】
【補正対象書類名】明細書
【補正対象項目名】００１１
【補正方法】変更
【補正の内容】
【００１１】
前記データ管理サーバは、前記再送判断部は、前記金融機関に返送した帳票と前記金融機関から再送された帳票との同一性をさらに判断し、前記データ管理部は、追加的な条件として、前記再送判断部により双方の帳票の同一性が確認された場合に、前記課金データを前記帳票の返送処理に対する課金が行われないよう更新してもよい。
【手続補正６】
【補正対象書類名】明細書
【補正対象項目名】００１５
【補正方法】変更
【補正の内容】
【００１５】
また、上記課題を解決するために、本発明の別の観点によれば、金融機関から受信した帳票の返送処理に対する課金のためのデータを記憶する記憶部と、前記金融機関から前記帳票が再送されると、前記帳票の再送情報に基づいて前記帳票の返送処理が返送側のミスであったか否かを判断する再送判断部と、前記再送判断部により前記帳票の返送処理が返送側のミスであると判断された場合、前記課金のためのデータを前記帳票の返送処理に対する課金が行われないような状態とするデータ管理部と、を備える、データ管理システムが提供される。
【手続補正７】
【補正対象書類名】明細書
【補正対象項目名】００１６
【補正方法】変更
【補正の内容】
【００１６】
また、上記課題を解決するために、本発明の別の観点によれば、コンピュータを、金融機関から受信した帳票の返送処理に対する課金のためのデータを記憶する記憶部と、前記金融機関から前記帳票が再送されると、前記帳票の再送情報に基づいて前記帳票の返送処理が返送側のミスであったか否かを判断する再送判断部と、前記再送判断部により前記帳票の返送処理が返送側のミスであると判断された場合、前記課金のためのデータを前記帳票の返送処理に対する課金が行われないような状態とするデータ管理部と、として機能させるための、プログラムが提供される。
【手続補正８】
【補正対象書類名】明細書
【補正対象項目名】００１７
【補正方法】変更
【補正の内容】
【００１７】
また、上記課題を解決するために、本発明の別の観点によれば、金融機関から受信した帳票のうち返送した帳票に対する課金のためのデータを記憶するステップと、前記金融機関から前記帳票が再送されると、前記帳票の再送情報に基づいて前記帳票の返送処理が返送側のミスであったか否かを判断するステップと、前記帳票の返送処理が返送側のミスであると判断された場合、前記課金のためのデータを前記帳票の返送処理に対する課金が行われないような状態とするステップと、を含む、データ管理方法が提供される。